(57)【特許請求の範囲】
【請求項１】
筆記具を保持するための挿入部を有し、挿入部の内面には複数の可撓性を有する柱状の凸部が設けられており、挿入部に筆記具を挿入したときに筆記具と凸部が圧接することにより生じる摩擦力で筆記具を保持する筆記具のホルダーであって、凸部は可撓性を有するプレートに複数の凸部が集合した凸部群が間隔をあけるように一体に形成され、同一に形成された複数のプレートが挿入部の内面の内周方向に段を違えて且つ上下のプレートの両端の継ぎ目がずれるようにプレートは貼着されており、それにより凸部が挿入部の内面の全体に形成されずに、凸部群が点在し、挿入部は底部がなく貫通して筆記具の尻部が挿入部から突き出るように挿入可能であり、ホルダーの側面の一部は平らに形成され、この平らな側面に磁石が取り付けられていることを特徴とする筆記具のホルダー。
【請求項２】
凸部は内面に対して直立しておらず傾斜して立っており、その傾斜方向は挿入部に筆記具を挿入する方向である請求項１記載のホルダー。
【発明の詳細な説明】
【技術分野】
【０００１】
本発明は、筆記具を安定的に保持することができるホルダーに関する。
【背景技術】
【０００２】
紙を挟んで安定的に保持するホルダーは存在する（例えば、特許文献１参照。）。
【特許文献１】特開平３−２５４９９８号公報
【発明の開示】
【発明が解決しようとする課題】
【０００３】
特許文献１のホルダーは紙を挟んで保持するものであり、筆記具のような手道具を保持することができない。例えば会議などでホワイトボードを使用して説明をするときに、文字を書き付けるためのフェルトペンをホワイトボード上の最も使用し易い場所にフェルトペンの向きも含めて自由に留めておくことができれば、フェルトペンを頻繁に手に持ったり手から離したりするような場合に便利である。また、ホワイトボードにフェルトペン用のトレーが設けてあってもフェルトペンは横に寝かせた状態で置かれるから、比較的細いフェルトペンは手で取り上げにくいのである。そこで本発明は、手に持って使用する筆記具を鉄板などに自由に留めておくことができるホルダーを提供することを目的とする。
【課題を解決するための手段】
【０００４】
本発明の請求項１は、筆記具を保持するための挿入部を有し、挿入部の内面には複数の可撓性を有する柱状の凸部が設けられており、挿入部に筆記具を挿入したときに筆記具と凸部が圧接することにより生じる摩擦力で筆記具を保持する筆記具のホルダーであって、凸部は可撓性を有するプレートに複数の凸部が集合した凸部群が間隔をあけるように一体に形成され、同一に形成された複数のプレートが挿入部の内面の内周方向に段を違えて且つ上下のプレートの両端の継ぎ目がずれるようにプレートは貼着されており、それにより凸部が挿入部の内面の全体に形成されずに、凸部群が点在し、挿入部は底部がなく貫通して筆記具の尻部が挿入部から突き出るように挿入可能であり、ホルダーの側面の一部は平らに形成され、この平らな側面に磁石が取り付けられている構成である。
【０００５】
請求項２は、凸部が内面に対して直立しておらず傾斜して立っており、その傾斜方向は挿入部に筆記具を挿入する方向である要素が請求項１に付加された構成である。
【発明の効果】
【０００６】
請求項１は、筆記具を保持するための挿入部を有し、挿入部の内面には複数の可撓性を有する柱状の凸部が設けられており、挿入部に筆記具を挿入したときに筆記具と凸部が圧接することにより生じる摩擦力で筆記具を保持する筆記具のホルダーであって、凸部は可撓性を有するプレートに複数の凸部が集合した凸部群が間隔をあけるように一体に形成され、同一に形成された複数のプレートが挿入部の内面の内周方向に段を違えて且つ上下のプレートの両端の継ぎ目がずれるようにプレートは貼着されており、それにより凸部が挿入部の内面の全体に形成されずに、凸部群が点在し、挿入部は底部がなく貫通して筆記具の尻部が挿入部から突き出るように挿入可能であり、ホルダーの側面の一部は平らに形成され、この平らな側面に磁石が取り付けられている。したがって、ホルダーに手道具を挿入すると、凸部との摩擦力によって筆記具は保持されて挿入部からずり落ちることがなく、筆記具をホワイトボードや鉄板のどの場所でも自由に留めておくことができる。また、筆記具を横方向や下方など自由な方向に向けて留めておくこともできる。さらに、筆記具を使用するときはホルダーを外して使用してもよく、あるいはホルダーを付けたままで使用することもできる。また、凸部が挿入部の内面の全体に形成されずに凸部群が点在しているから、筆記具が凸部から受ける圧力が必要以上に大きくならず、筆記具を挿入部から引き抜くときに円滑に行うことができる。また、凸部群が点在しているので、挿入された筆記具を確実に保持することができる。また、同一に形成された複数のプレートが挿入部の内面の内周方向に段を違えて且つ上下のプレートの両端の継ぎ目がずれるようにプレートが貼着されている。したがって、各プレートの凸部群は同一で同位置に形成されていても、挿入部内で凸部群を点在させることができる。さらに、１つのプレートを貼着する場合は、深さの異なる挿入部ごとにサイズの異なるプレートを製造しなければならないが、プレートを複数としてプレートの幅を狭くすれば深さの異なる挿入部に対応してプレートの数を変えればよいので、同一サイズに形成されたプレートで深さの異なる挿入部に対応できるからコストを抑えることができる。
【０００７】
請求項２は、凸部が内面に対して直立しておらず傾斜して立っており、その傾斜方向は挿入部に手道具を挿入する方向である。したがって、筆記具を挿入部に容易に挿入することができる。また、筆記具を引き抜くときは凸部の抵抗が大きくなるので、筆記具が自然に抜け出すことがない。
【発明を実施するための最良の形態】
【０００８】
次に本発明を実施するための最良の形態について説明する。この形態はフェルトペンのホルダーに関する。図１に示すようにホルダー１には内面が円形をなす挿入部２が形成されており、この挿入部２の内面には同一に形成された３つのプレート３が段を違えて貼着されている。１つのプレートを貼着する場合は、深さの異なる挿入部ごとにサイズの異なるプレートを製造しなければならないが、プレートを複数としてプレートの幅を狭くすれば深さの異なる挿入部に対応してプレートの数を変えればよいので、同一サイズに形成されたプレートで深さの異なる挿入部に対応できるからコストを抑えることができる。
【０００９】
図３に示すように、各プレート３の表面に柱状の凸部４が斜め下向きに一体に形成されており、４つの凸部４が集合して凸部群５を構成し、４つの凸部群５が間隔を置いて並んでいる。したがって、フェルトペンはその周囲の複数の位置で凸部から圧力を受けるので、フェルトペンを挿入部から引き抜く際にフェルトペンの表面が挿入部の内面と擦れることがなく傷が付かない。プレート３及び凸部４は柔軟性のある材料であればよく、例えばエラストマーやシリコンゴムなどが使用される。柱状凸部は、図３に示すように間隔を置いて設けられている。凸部は下向きに傾斜しなくてもよく、内面から直立するものであってもよい。
【００１０】
図１に示すように、各プレート３を挿入部２の内面に貼着したときの両端の継ぎ目６は上下のプレートでずれており、したがって、図２に示すように各プレート３の凸部群５は挿入部２内で点在するように間隔を置いている。サイズも凸部群も同一に形成された複数のプレートを段を違えて挿入部の内面に貼着したときに、上下に隣合うプレートの凸部群もずれるので各凸部群を点在させることができる。また、図２における各凸部群５に内接する円の直径は、そこに挿入されるべきフェルトペンの直径よりもやや小さい。これにより、フェルトペンは挿入部２内に確実に保持されるのである。
【００１１】
図１に示すようにホルダー１の側面の一部は平らに形成され、この平らな側面７に磁石８が取り付けられている。したがって、鉄製のホワイトボードにホルダー１を吸い付けて使用することができる。挿入部２は底部がなく貫通した挿入部２であって、挿入口がいずれの口か迷うのでフェルトペンの挿入方向をホルダー１の表面に矢印などで表示することが好ましい。また、フェルトペンの尻部が挿入部２から突き出るように挿入することもできるので、フェルトペンが通常よりも長いときはこのように挿入してホワイトボードに吸い付けておけば、ホルダー１がフェルトペンの重心近くに位置するのでホルダーに大きなモーメントが加わらず安定する。
【図面の簡単な説明】
【００１２】
【図１】本発明の斜視図
【図２】本発明の平面図
【図３】プレートの正面図
【符号の説明】
【００１３】
１  ホルダー
２  挿入部
３  プレート
４  凸部
５  凸部群
６  継ぎ目
７  平らな側面
８  磁石
【図１】
0004652714.tif 000002
【図２】
0004652714.tif 000003
【図３】
0004652714.tif 000004